Podtech/llm-jp-corpus-v4-ja_patent huggingface dataset:
【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
被検者を撮像して画像を取得する医用画像取得部と、
前記医用画像取得部に接続されたコンソールと、
を有して成る医用画像取得装置を備え、
前記コンソールは、コンソールソフトウェアと、該コンソールソフトウェアの実行の際に生じる情報と、を記憶する記憶部と、前記コンソールソフトウェアを実行する演算部と、を備え、
前記コンソールソフトウェアは、検査前処理を行う検査前処理ソフトウェア部と、検査後処理を行う検査後処理ソフトウェア部と、を有して成る医用画像検査処理システムであって、
前記コンソールは、メインコンソールとサブコンソールとを備え、
前記コンソールソフトウェアは、前記メインコンソールと前記サブコンソールにおいて
実行する前記検査前処理と前記検査後処理の分配と並列処理及び情報の共有制御を行うことを特徴とする医用画像検査処理システム。
【請求項２】
請求項１に記載の医用画像検査処理システムにおいて、
一方の前記コンソールソフトウェアが前記情報を更新すると、該一方のコンソールソフトウェアは、該情報が更新又は保存された旨のイベントを他方のコンソールソフトウェアに通知して、該他方のコンソールソフトウェアは、該更新又は保存された情報を自身の処理に反映することを特徴とする医用画像検査処理システム。
【請求項３】
請求項１に記載の医用画像検査処理システムにおいて、
前記医用画像取得部から離れた遠隔地に配置され、ネットワークを介して前記医用画像取得装置に接続されたサブコンソールを含むことを特徴とする医用画像検査処理システム。
【手続補正２】
【補正対象書類名】明細書
【補正対象項目名】００１０
【補正方法】変更
【補正の内容】
【００１０】
具体的には、本発明の医用画像検査処理システムは、被検者を撮像して所望の画像を取得する医用画像取得部と、医用画像取得部に接続されたコンソールと、を有して成る医用画像取得装置を備え、コンソールは、コンソールソフトウェアと、該コンソールソフトウェアの実行の際に生じる情報と、を記憶する記憶部と、コンソールソフトウェアを実行する演算部と、を備え、コンソールソフトウェアは、検査前処理を行う検査前処理ソフトウェア部と、検査後処理を行う検査後処理ソフトウェア部と、を有して成り、コンソールは、メインコンソールとサブコンソールとを備え、コンソールソフトウェアは、メインコンソールとサブコンソールにおいて実行する検査前処理と検査後処理の分配と並列処理及び情報の共有制御を行うことを特徴とする。
【手続補正書】
【提出日】平成26年11月21日(2014.11.21)
【手続補正１】
【補正対象書類名】明細書
【補正対象項目名】０００８
【補正方法】変更
【補正の内容】
【０００８】
本発明の実施形態の撮像モジュールは、第１の主面にチップ電極が配設されており、第２の主面に貫通配線を介して前記チップ電極と接続されているケーブル電極が配設されている配線板と、前記チップ電極と接合された外部電極を有する撮像素子チップと、前記ケーブル電極と接合された導線を有するケーブルと、を具備し、全ての前記ケーブル電極が前記チップ電極の配設領域と対向していない領域に配設されている。
【手続補正２】
【補正対象書類名】明細書
【補正対象項目名】０００９
【補正方法】変更
【補正の内容】
【０００９】
また、別の実施形態の撮像ユニットは、第１の主面にチップ電極が配設されており、第２の主面に貫通配線を介して前記チップ電極と接続されているケーブル電極が配設されている配線板と、前記チップ電極と接合された外部電極を有する撮像素子チップと、前記ケーブル電極と接合された導線を有するケーブルと、を具備し、全ての前記ケーブル電極が前記チップ電極の配設領域と対向していない領域に配設されている撮像モジュールと、前記撮像素子チップの受光面に被写体像を結像する光学部材とを具備する。
【手続補正３】
【補正対象書類名】明細書
【補正対象項目名】００２０
【補正方法】変更
【補正の内容】
【００２０】
チップ電極３１とケーブル電極３３とは、貫通配線３２を介して接続されている。しかし、撮像モジュール１では、全てのケーブル電極３３は、チップ電極３１の配設領域と対向していない領域に配設されている。言い換えれば、透過平面図において、ケーブル電極３３とチップ電極３１とは重複して表示されることがない。
【手続補正４】
【補正対象書類名】明細書
【補正対象項目名】００２１
【補正方法】変更
【補正の内容】
【００２１】
すなわち、チップ電極３１は貫通配線３２の直上に配設されているが、ケーブル電極３３は全て、表面配線３４を介して貫通配線３２から離れた配線板３０の中央部に配設されている。
【手続補正５】
【補正対象書類名】明細書
【補正対象項目名】００３４
【補正方法】変更
【補正の内容】
【００３４】
なお、図６には図示しないが、図３等に示すように接合部には封止樹脂２９が配設される。封止樹脂２９は、接合部の周囲を封止し接続の信頼性を高めると同時に、撮像チップ５０と配線板３０とを接合している。封止樹脂２９としては、エポキシ系樹脂、シリコーン系樹脂、アクリル系樹脂、またはフェノール系樹脂等を用いる。
【手続補正６】
【補正対象書類名】明細書
【補正対象項目名】００４０
【補正方法】変更
【補正の内容】
【００４０】
＜実施形態の変形例＞
次に、実施形態の変形例の撮像モジュール１Ａ〜１Ｅについて説明する。変形例の撮像モジュール１Ａ〜１Ｅは、実施形態の撮像モジュール１と類似しているので、同じ構成要素には同じ符号を付し説明は省略する。
【手続補正７】
【補正対象書類名】明細書
【補正対象項目名】００４１
【補正方法】変更
【補正の内容】
【００４１】
以下の説明のように、撮像モジュール１Ａ〜１Ｅは、撮像モジュール１と同様に、ケーブル電極３３が、チップ電極３１の配設領域と対向していない領域に配設されているため、いずれも撮像モジュール１と同じ効果を有する。
【手続補正８】
【補正対象書類名】特許請求の範囲
【補正対象項目名】全文
【補正方法】変更
【補正の内容】
【特許請求の範囲】
【請求項１】
第１の主面にチップ電極が配設されており、第２の主面に貫通配線を介して前記チップ電極と接続されているケーブル電極が配設されている配線板と、
前記チップ電極と接合された外部電極を有する撮像素子チップと、
前記ケーブル電極と接合された導線を有するケーブルと、を具備する撮像モジュールであって、
全ての前記ケーブル電極が前記チップ電極の配設領域と対向していない領域に配設されていることを特徴とする。
【請求項２】
前記チップ電極が、前記第１の主面の外周部に配設されており、
前記ケーブル電極が、前記第２の主面の中央部に配設されていることを特徴とする請求項１に記載の撮像モジュール。
【請求項３】
前記チップ電極が、前記第１の主面の中央部に配設されており、
前記ケーブル電極が、前記第２の主面の外周部に配設されていることを特徴とする請求項１に記載の撮像モジュール。
【請求項４】
前記配線板の、前記第２の主面の前記チップ電極の配設領域と対向していない領域に電子部品が表面実装されていることを特徴とする請求項１に記載の撮像モジュール。
【請求項５】
請求項１から請求項４のいずれか１項に記載の撮像モジュールと、前記撮像素子チップの受光面に被写体像を結像する光学部材と、を具備することを特徴とする撮像ユニット。
【手続補正書】
【提出日】平成27年10月5日(2015.10.5)
【手続補正１】
【補正対象書類名】明細書
【補正対象項目名】発明の名称
【補正方法】変更
【補正の内容】
【発明の名称】ジベンゾ［ｆ，ｈ］キノキサリン化合物
【手続補正２】
【補正対象書類名】特許請求の範囲
【補正対象項目名】全文
【補正方法】変更
【補正の内容】
【特許請求の範囲】
【請求項１】
ジベンゾ［ｆ，ｈ］キノキサリン骨格と、ジベンゾチオフェン骨格又はジベンゾフラン骨格とが直接結合したジベンゾ［ｆ，ｈ］キノキサリン化合物。
【請求項２】
ジベンゾ［ｆ，ｈ］キノキサリン骨格に、置換又は無置換のジベンゾチオフェン−４−イル基または置換又は無置換のジベンゾフラン−４−イル基が直接結合したジベンゾ［ｆ，ｈ］キノキサリン化合物。
【請求項３】
下記式（Ｇ１）で表されるジベンゾ［ｆ，ｈ］キノキサリン化合物。
【化１】
2013118368.tif 000001
（但し、式中Ｒ１乃至Ｒ１０のいずれか一は置換又は無置換のジベンゾチオフェン−４−イル基または置換又は無置換のジベンゾフラン−４−イル基であり、他の基はそれぞれ独立に水素、炭素数１〜６のアルキル基、置換又は無置換のフェニル基、置換又は無置換のビフェニル基、置換又は無置換のナフチル基、置換又は無置換のフェナントリル基、置換又は無置換のトリフェニレニル基、置換又は無置換のジベンゾチオフェン−４−イル基及び置換又は無置換のジベンゾフラン−４−イル基のいずれかである。）
【請求項４】
下記式（Ｇ１）で表されるジベンゾ［ｆ，ｈ］キノキサリン化合物。
【化２】
2013118368.tif 000002
（但し、式中Ｒ１乃至Ｒ１０のいずれか一は下記式（Ｇ１−１）で表される基であり、他の基はそれぞれ独立に水素、炭素数１〜６のアルキル基、置換又は無置換のフェニル基、置換又は無置換のビフェニル基、置換又は無置換のナフチル基、置換又は無置換のフェナントリル基、置換又は無置換のトリフェニレニル基及び下記式（Ｇ１−２）で表される基のいずれかである。）
【化３】
2013118368.tif 000003
（式（Ｇ１−１）中、Ｅ１は硫黄又は酸素を表し、Ｒ１１乃至Ｒ１７はそれぞれ独立に水素、炭素数１〜６のアルキル基、置換又は無置換のフェニル基及び置換又は無置換のビフェニル基のいずれかを表す。また式（Ｇ１−２）中、Ｅ２は硫黄又は酸素を表し、Ｒ２１乃至Ｒ２７はそれぞれ独立に水素、炭素数１〜６のアルキル基、置換又は無置換のフェニル基及び置換又は無置換のビフェニル基のいずれかを表す。）
【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
シリコン酸化膜に対してシリコン窒化膜を選択的にエッチングするプラズマエッチング方法において、
フルオロカーボンガスと酸素含有ガスとＳｉＦ4ガスとを含む混合ガスを用いて前記シリコン窒化膜をプラズマエッチングすることを特徴とするプラズマエッチング方法。
【請求項２】
請求項１に記載のプラズマエッチング方法において、
前記混合ガスは、さらに不活性ガスを含むことを特徴とするプラズマエッチング方法。
【請求項３】
シリコン酸化膜に対してシリコン窒化膜を選択的にエッチングするプラズマエッチング方法において、
ＣＨ4ガスとフッ素含有ガスと酸素含有ガスとＳｉＦ4ガスとを含む混合ガスを用いて前記シリコン窒化膜をプラズマエッチングすることを特徴とするプラズマエッチング方法。
【請求項４】
請求項１に記載のプラズマエッチング方法において、
前記フルオロカーボンガスは、ＣＨ3Ｆガスであり、前記酸素含有ガスは、Ｏ2ガスであることを特徴とするプラズマエッチング方法。
【請求項５】
ポリシリコン膜に対してシリコン窒化膜を選択的にエッチングするプラズマエッチング方法において、
フルオロカーボンガスと酸素含有ガスとＳｉＦ4ガスとを含む混合ガスを用いて前記シリコン窒化膜をプラズマエッチングすることを特徴とするプラズマエッチング方法。
【請求項６】
シリコン基板に対してシリコン窒化膜を選択的にエッチングするプラズマエッチング方法において、
フルオロカーボンガスと酸素含有ガスとＳｉＦ4ガスとを含む混合ガスを用いて前記シリコン窒化膜をプラズマエッチングすることを特徴とするプラズマエッチング方法。
【請求項７】
ポリシリコン膜に対してシリコン窒化膜を選択的にエッチングするプラズマエッチング方法において、
ＣＨ4ガスとフッ素含有ガスと酸素含有ガスとＳｉＦ4ガスとを含む混合ガスを用いて前記シリコン窒化膜をプラズマエッチングすることを特徴とするプラズマエッチング方法。
【請求項８】
シリコン基板に対してシリコン窒化膜を選択的にエッチングするプラズマエッチング方法において、
ＣＨ4ガスとフッ素含有ガスと酸素含有ガスとＳｉＦ4ガスとを含む混合ガスを用いて前記シリコン窒化膜をプラズマエッチングすることを特徴とするプラズマエッチング方法。
【請求項９】
請求項５または請求項６に記載のプラズマエッチング方法において、
前記混合ガスは、さらに不活性ガスを含むことを特徴とするプラズマエッチング方法。
【請求項１０】
請求項５または請求項６に記載のプラズマエッチング方法において、
前記フルオロカーボンガスは、ＣＨ3Ｆガスであり、前記酸素含有ガスは、Ｏ2ガスであることを特徴とするプラズマエッチング方法。
【請求項１１】
ＴａＮ膜に対してポリシリコン膜を選択的にエッチングするプラズマエッチング方法において、
ＴａＦ5ガスを用いて前記ポリシリコン膜をプラズマエッチングすることを特徴とするプラズマエッチング方法。
【請求項１２】
ＷＮ膜に対してポリシリコン膜を選択的にエッチングするプラズマエッチング方法において、
ＷＦ6ガスを用いて前記ポリシリコン膜をプラズマエッチングすることを特徴とするプラズマエッチング方法。
【手続補正２】
【補正対象書類名】明細書
【補正対象項目名】０００９
【補正方法】変更
【補正の内容】
【０００９】
本発明は、シリコン酸化膜に対してシリコン窒化膜を選択的にエッチングするプラズマエッチング方法において、フルオロカーボンガスと酸素含有ガスとＳｉＦ4ガスとを含む混合ガスを用いて前記シリコン窒化膜をプラズマエッチングすることを特徴とする。
【手続補正３】
【補正対象書類名】明細書
【補正対象項目名】００１０
【補正方法】変更
【補正の内容】
【００１０】
また、本発明は、シリコン酸化膜に対してシリコン窒化膜を選択的にエッチングするプラズマエッチング方法において、ＣＨ4ガスとフッ素含有ガスと酸素含有ガスとＳｉＦ4ガスとを含む混合ガスを用いて前記シリコン窒化膜をプラズマエッチングすることを特徴とする。
【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
撮像装置と該撮像装置に着脱可能な撮影レンズとを備える撮像システムであって、
被写体の撮像を行う撮像手段と、
前記撮像手段に入射する光量を調節する絞りと、
前記絞りを駆動させるための１−２相駆動方式のステッピングモータと、
前記絞りを絞っていて前記ステッピングモータが通電状態であるときに静止画撮影が指示された場合、絞った状態の絞り値と静止画撮影のための絞り値との差の分だけ前記絞りを駆動させるように制御する制御手段と、
を有することを特徴とする撮像システム。
【請求項２】
前記撮像手段により得られた画像データに基づく画像を表示する表示手段をさらに有し、
前記制御手段は、前記絞りを絞っていて前記表示手段に前記撮像手段により得られた画像データに基づく画像を逐次表示している際に、前記ステッピングモータを通電された状態に制御することを特徴とする請求項１に記載の撮像システム。
【請求項３】
前記制御手段は、前記表示手段に前記撮像手段により得られた画像データに基づく画像を逐次表示し前記絞りを絞った状態で静止画撮影が指示された場合、絞った状態の絞り値と静止画撮影のための絞り値との差の分だけ前記絞りを駆動させ、静止画撮影後には静止画撮影前の絞り値となるように、前記静止画撮影のための絞り値と前記絞った状態の絞り値との差の分だけ前記絞りを駆動させるように制御することを特徴とする請求項２に記載の撮像システム。
【請求項４】
撮像装置と該撮像装置に着脱可能な撮影レンズとを備える撮像システムであって、
被写体の撮像を行う撮像手段と、
前記撮像手段に入射する光量を調節する絞りと、
前記絞りを駆動させるための１−２相駆動方式のステッピングモータと、
静止画撮影を行うため以外に前記絞りを絞る際には、前記ステッピングモータが安定位相となる停止位置で前記絞りを停止させてから前記ステッピングモータへの通電を解除し、前記絞りを絞った状態で静止画撮影が指示された場合、絞った状態の絞り値と静止画撮影のための絞り値との差の分だけ前記絞りを駆動させるように制御する制御手段と、
を有することを特徴とする撮像システム。
【請求項５】
前記撮像手段により得られた画像データに基づく画像を表示する表示手段をさらに有し、
前記制御手段は、前記表示手段に前記撮像手段により得られた画像データに基づく画像を逐次表示しているときに前記絞りを絞る際には、前記ステッピングモータが安定位相となる停止位置で前記絞りを停止させてから前記ステッピングモータへの通電を解除し、前記表示手段に前記撮像手段により得られた画像データに基づく画像を逐次表示し前記絞りを絞った状態で静止画撮影が指示された場合、絞った状態の絞り値と静止画撮影のための絞り値との差の分だけ前記絞りを駆動させるように制御することを特徴とする請求項４に記載の撮像システム。
【請求項６】
前記制御手段は、静止画撮影を伴わずに前記絞りを絞るように指示された場合、前記ステッピングモータが安定位相となる停止位置で前記絞りを停止させてから前記ステッピングモータへの通電を解除し、前記絞りを絞った状態で静止画撮影が指示された場合、絞った状態の絞り値と静止画撮影のための絞り値との差の分だけ前記絞りを駆動させるように制御することを特徴とする請求項４に記載の撮像システム。
【請求項７】
１−２相駆動方式のステッピングモータを用いて絞りを駆動させる撮影レンズを着脱可能な撮像装置であって、
前記絞りを絞っていて前記ステッピングモータが通電状態であるときに静止画撮影が指示された場合、絞った状態の絞り値と静止画撮影のための絞り値との差の分だけ前記絞りを駆動させるように制御する制御手段を有することを特徴とする撮像装置。
【請求項８】
１−２相駆動方式のステッピングモータを用いて絞りを駆動させる撮影レンズを着脱可能な撮像装置であって、
静止画撮影を行うため以外に前記絞りを絞る際には、前記ステッピングモータが安定位相となる停止位置で前記絞りを停止させてから前記ステッピングモータへの通電を解除し、前記絞りを絞った状態で静止画撮影が指示された場合、絞った状態の絞り値と静止画撮影のための絞り値との差の分だけ前記絞りを駆動させるように制御する制御手段を有することを特徴とする撮像装置。
【請求項９】
撮像装置に着脱可能な撮影レンズであって、
絞りと、
前記絞りを駆動させるための１−２相駆動方式のステッピングモータと、を有し、
前記絞りを絞っていて前記ステッピングモータが通電状態であるときに静止画撮影が指示された場合、絞った状態の絞り値と静止画撮影のための絞り値との差の分だけ前記絞りを駆動させることを特徴とする撮影レンズ。
【請求項１０】
撮像装置に着脱可能な撮影レンズであって、
絞りと、
前記絞りを駆動させるための１−２相駆動方式のステッピングモータと、を有し、
接続された撮像装置で静止画撮影を行うため以外に前記絞りを絞る際には、前記ステッピングモータが安定位相となる停止位置で前記絞りを停止させてから前記ステッピングモータへの通電を解除し、前記絞りを絞った状態で前記撮像装置に対して静止画撮影が指示された場合、絞った状態の絞り値と静止画撮影のための絞り値との差の分だけ前記絞りを駆動させることを特徴とする撮影レンズ。
【手続補正２】
【補正対象書類名】明細書
【補正対象項目名】０００７
【補正方法】変更
【補正の内容】
【０００７】
本発明に係わる撮像システムは、撮像装置と該撮像装置に着脱可能な撮影レンズとを備える撮像システムであって、被写体の撮像を行う撮像手段と、前記撮像手段に入射する光量を調節する絞りと、前記絞りを駆動させるための１−２相駆動方式のステッピングモータと、前記絞りを絞っていて前記ステッピングモータが通電状態であるときに静止画撮影が指示された場合、絞った状態の絞り値と静止画撮影のための絞り値との差の分だけ前記絞りを駆動させるように制御する制御手段と、を有することを特徴とする。
【手続補正書】
【提出日】平成26年11月29日(2014.11.29)
【手続補正１】
【補正対象書類名】特許請求の範囲
【補正対象項目名】全文
【補正方法】変更
【補正の内容】
【特許請求の範囲】
【請求項１】
基板を回転させて処理するスピン処理装置であって、
回転可能に設けられた回転体と、
前記回転体の回転方向に所定間隔で昇降可能に設けられ、前記基板の周縁部を支持する少なくとも三つの基板支持部材と、
前記回転体の回転方向に所定間隔で偏心回転可能に設けられ、偏心回転により前記基板の外周面に各々当接して前記基板を把持する少なくとも三つのクランプピンと、
前記三つの基板支持部材を同期させて昇降させる昇降機構と、
前記三つのクランプピンを同期させて偏心回転させる回転機構と、
を備えることを特徴とするスピン処理装置。
【手続補正書】
【提出日】平成26年11月25日(2014.11.25)
【手続補正１】
【補正対象書類名】明細書
【補正対象項目名】００１０
【補正方法】変更
【補正の内容】
【００１０】
図２Ａに示すように、画素２１は、ＰＤ（Photodiode：フォトダイオード）２２、転送トランジスタ２３、ＦＤ（Floating Diffusion：フローティングディフュージョン）２４、増幅トランジスタ２５、選択トランジスタ２６、および、リセットトランジスタ２７を備えて構成される。また、画素２１には、画素２１から画素信号を出力するための垂直信号線２８が接続されるとともに、画素２１を駆動するための信号を供給する水平信号線２９TRF、２９SEL、および２９RSTが接続されている。
【手続補正２】
【補正対象書類名】明細書
【補正対象項目名】００５８
【補正方法】変更
【補正の内容】
【００５８】
増幅トランジスタ５５を構成するゲート電極６５−２は、Ｎ型領域６３−２および６３−３の間となる位置、即ち、ウェル６４−２に対応する位置に配置される。即ち、増幅トランジスタ５５は、Ｎ型領域６３−２をドレインとし、Ｎ型領域６３−３をソースとして構成される。また、増幅トランジスタ５５のゲート電極６５−２にＦＤ５４を構成するＮ型領域６３−１が接続されている。
【手続補正３】
【補正対象書類名】明細書
【補正対象項目名】００７１
【補正方法】変更
【補正の内容】
【００７１】
図９Ａに示すように、画素５１Ａは、ＰＤ５２、転送トランジスタ５３、ＦＤ５４、増幅トランジスタ５５Ａ、選択トランジスタ５６、および、リセットトランジスタ５７を備えて構成される。また、画素５１Ａには、垂直信号線５８、並びに、水平信号線５９TRF、５９SEL、および５９RSTが接続されている。
【手続補正４】
【補正対象書類名】明細書
【補正対象項目名】００７５
【補正方法】変更
【補正の内容】
【００７５】
図１０Ａに示すように、画素５１Ｂは、ＰＤ５２、転送トランジスタ５３、ＦＤ５４、増幅トランジスタ５５、選択トランジスタ５６Ａ、および、リセットトランジスタ５７を備えて構成される。また、画素５１Ｂには、垂直信号線５８、並びに、水平信号線５９TRF、５９SEL、および５９RSTが接続されている。
【手続補正５】
【補正対象書類名】明細書
【補正対象項目名】００８０
【補正方法】変更
【補正の内容】
【００８０】
図１１Ａに示すように、画素５１Ｃは、ＰＤ５２、転送トランジスタ５３、ＦＤ５４、増幅トランジスタ５５Ａ、選択トランジスタ５６Ａ、および、リセットトランジスタ５７を備えて構成される。また、画素５１Ｃには、垂直信号線５８、並びに、水平信号線５９TRF、５９SEL、および５９RSTが接続されている。
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
圧電体層および前記圧電体層を挟む一対の電極を具備する圧電素子を備えた液体噴射ヘッドであって、
前記圧電体層は、ニッケル酸ランタン膜の上方に設けられ、Ｐｂ、Ｔｉ及びＺｒを少なくとも含みペロブスカイト型構造を有する複合酸化物からなり、Ｘ線ロッキングカーブ法により測定した（１００）面に由来するピーク及び／又は（００１）面に由来するピークの半値幅（θ）が６．０度以下であることを特徴とする液体噴射ヘッド。
【請求項２】
請求項１に記載の液体噴射ヘッドを具備することを特徴とする液体噴射装置。
【請求項３】
圧電体層と前記圧電体層を挟む一対の電極とを具備する圧電素子であって、
前記圧電体層は、前記ニッケル酸ランタン膜の上方に設けられ、Ｐｂ、Ｔｉ及びＺｒを少なくとも含みペロブスカイト型構造を有する複合酸化物からなり、Ｘ線ロッキングカーブ法により測定した（１００）面に由来するピーク及び／又は（００１）面に由来するピークの半価幅（θ）が６．０度以下であることを特徴とする圧電素子。
【請求項４】
請求項３に記載の圧電素子を具備することを特徴とする超音波デバイス。
【請求項５】
請求項３に記載の圧電素子を具備することを特徴とするセンサー。
【手続補正２】
【補正対象書類名】明細書
【補正対象項目名】発明の名称
【補正方法】変更
【補正の内容】
【発明の名称】液体噴射ヘッド、液体噴射装置、圧電素子、超音波デバイス及びセンサー
【手続補正３】
【補正対象書類名】明細書
【補正対象項目名】０００７
【補正方法】変更
【補正の内容】
【０００７】
上記課題を解決する本発明の態様は、圧電体層および前記圧電体層を挟む一対の電極を具備する圧電素子を備えた液体噴射ヘッドであって、前記圧電体層は、ニッケル酸ランタン膜の上方に設けられ、Ｐｂ、Ｔｉ及びＺｒを少なくとも含みペロブスカイト型構造を有する複合酸化物からなり、Ｘ線ロッキングカーブ法により測定した（１００）面に由来するピーク及び／又は（００１）面に由来するピークの半値幅（θ）が６．０度以下であることを特徴とする液体噴射ヘッドにある。
かかる態様では、耐電圧性に優れた圧電素子を備える液体噴射ヘッドとすることができる。
【手続補正４】
【補正対象書類名】明細書
【補正対象項目名】０００９
【補正方法】変更
【補正の内容】
【０００９】
本発明の他の態様は、圧電体層と前記圧電体層を挟む一対の電極とを具備する圧電素子であって、前記圧電体層は、前記ニッケル酸ランタン膜の上方に設けられ、Ｐｂ、Ｔｉ及びＺｒを少なくとも含みペロブスカイト型構造を有する複合酸化物からなり、Ｘ線ロッキングカーブ法により測定した（１００）面に由来するピーク及び／又は（００１）面に由来するピークの半価幅（θ）が６．０度以下であることを特徴とする圧電素子にある。
かかる態様では、耐電圧性に優れた圧電素子とすることができる。
また、本発明の他の態様は、上記圧電素子を具備することを特徴とする超音波デバイス、あるいは、上記圧電素子を具備することを特徴とするセンサーにある。
かかる態様では、耐電圧性に優れた圧電素子を具備するため、信頼性に優れた超音波デバイス、あるいはセンサーを実現することができる。
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
圧電体層と前記圧電体層を挟む一対の電極とを備えた圧電素子であって、
前記圧電体層は、ビスマス、鉄、バリウム及びチタンと、銅、ニッケル及び亜鉛からなる群から選択される少なくとも１つと、を含むペロブスカイト構造を有する複合酸化物からなることを特徴とする圧電素子。
【請求項２】
請求項１に記載の圧電素子において、
前記複合酸化物は、ビスマス、鉄、バリウム及びチタンと、銅と、マンガンと、を含むことを特徴とする圧電素子。
【請求項３】
請求項１又は２に記載する圧電素子を具備することを特徴とする液体噴射ヘッド。
【請求項４】
請求項３に記載する液体噴射ヘッドを具備することを特徴とする液体噴射装置。
【請求項５】
請求項１又は２に記載の圧電素子を具備することを特徴とする超音波デバイス。
【請求項６】
請求項１又は２に記載の圧電素子を具備することを特徴とするセンサー。
【手続補正２】
【補正対象書類名】明細書
【補正対象項目名】発明の名称
【補正方法】変更
【補正の内容】
【発明の名称】圧電素子、液体噴射ヘッド、液体噴射装置、超音波デバイス及びセンサー
【手続補正３】
【補正対象書類名】明細書
【補正対象項目名】０００７
【補正方法】変更
【補正の内容】
【０００７】
上記課題を解決する本発明の態様は、圧電体層と前記圧電体層を挟む一対の電極とを備えた圧電素子であって、前記圧電体層は、ビスマス、鉄、バリウム及びチタンと、銅、ニッケル及び亜鉛からなる群から選択される少なくとも１つと、を含むペロブスカイト構造を有する複合酸化物からなることを特徴とする圧電素子にある。
かかる態様では、圧電体層が、銅、ニッケル、及び亜鉛からなる群から選択される少なくとも１つを含むペロブスカイト構造を有する複合酸化物からなるものとすることにより、圧電体層のクラックの発生を抑制することができる。また、鉛を含有しないものとすることができる又は鉛の含有量を抑えられるため、環境への負荷を低減することができる。
【手続補正４】
【補正対象書類名】明細書
【補正対象項目名】０００９
【補正方法】変更
【補正の内容】
【０００９】
本発明の他の態様は、上記圧電素子を具備することを特徴とする液体噴射ヘッド、及び当該液体噴射ヘッドを具備することを特徴とする液体噴射装置にある。
かかる態様では、環境への負荷を低減し且つクラックの発生を抑制した圧電素子を具備するため、信頼性に優れた液体噴射ヘッド及び液体噴射装置を実現することができる。
【手続補正５】
【補正対象書類名】明細書
【補正対象項目名】００１０
【補正方法】変更
【補正の内容】
【００１０】
本発明の他の態様は、上記圧電素子を具備することを特徴とする超音波デバイス、あるいは、上記圧電素子を具備することを特徴とするセンサーにある。
かかる態様では、環境への負荷を低減し且つクラックの発生を抑制した圧電素子を具備するため、信頼性に優れた超音波デバイス、あるいはセンサーを実現することができる。
【手続補正書】
【提出日】平成26年12月3日(2014.12.3)
【手続補正１】
【補正対象書類名】明細書
【補正対象項目名】００１８
【補正方法】変更
【補正の内容】
【００１８】
フェース部材２０は、そのフェース形成部２１の背面２１ａが上部形成部１２のフェース部２側の端面及び外側領域１３１ａに固着され、その前部形成部２２のバック側の端面２２ａが下側領域１４１ａに固着される。ヘッド本体１０とフェース部材２０との固着は、例えば、溶接により行う。内側領域１３１ｂ、上部領域１４１ｂはフェース形成部２１の背面２１ａから離間する。
【手続補正２】
【補正対象書類名】明細書
【補正対象項目名】００２８
【補正方法】変更
【補正の内容】
【００２８】
なお、図２（Ｂ）及び（Ｃ）に示すように、挿入部材４０のフェース部側の端面４０ａと、上部領域１４１ｂの表面とには、段差Ｄがあることが好ましい。つまり、凹部１４２の深さと、挿入部材４０の厚さとに差を設けることが好ましい。このようにすると、挿入部材４０が上部領域１４１ｂから突出するか（図２（Ｂ)）、凹むことになる（図２（Ｃ))。図２（Ｂ)の構成の場合は、挿入部材４０の先端が弾性体３０に食い込み、図２（Ｃ)の構成の場合は、弾性体３０が凹部１４２に食い込む。いずれも、弾性体３０の脱落防止に役立つことになる。
【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
１次元又は２次元の配列の複数の画素を形成し且つ当該画素のそれぞれにＸ線源から入射したＸ線を光子と見做して検出し当該光子のエネルギに応じた電気量のパルス信号を出力する複数の検出素子を有する光子計数型の検出器と、
前記複数の検出素子それぞれからの前記パルス信号の計数値を２つ以上のエネルギ領域の夫々について収集する複数のデータ収集回路と、
被検体を撮像したときの前記パルス信号の前記計数値に基づいて前記Ｘ線の吸収情報に応じた被検体画像を作成する被検体画像作成手段と、
を備えた撮像システムにより作成された前記被検体画像を用いる装置であって、
前記Ｘ線により厚さ及び密度の均一な物質を撮像して前記パルス信号の前記計数値に基づいた参照画像を作成する参照画像作成手段と、
前記参照画像の画素値で前記被検体画像の画素値を画素毎に除算して当該被検体画像の画素値を規格化する規格化手段と、
この規格化手段により規格化された画素値から、前記吸収情報を与えた軸と、前記Ｘ線のビームハードニング情報を与えた１つ以上の軸とからなる散布図を作成する散布図作成手段と、
この散布図作成手段により作成された前記散布図から、前記被検体の撮像された部分に在る物質の種類を同定するための同定情報を取得する同定情報取得手段と、を備えたことを特徴とする物質同定装置。
【請求項２】
前記散布図作成手段は、前記複数のエネルギ領域それぞれにおける前記パルス信号の計数値をＷi（ｉは前記複数のエネルギ領域のうちの、撮像に使用可能な最も低いエネルギ領域からの順番を示す（ｉはi≧１で正の整数））としたときに、前記ビームハードニング情報として、Ｗ（ｊ）/Ｗ（ｉ）（ｊ＞ｉ：ｊは正の整数）を与えることを、特徴とする請求項１に記載の物質同定装置。
【請求項３】
前記複数のエネルギ領域は３つのエネルギ領域から成り、前記ビームハードニング情報はＷ３／Ｗ２又はＷ３／Ｗ１又はＷ２／Ｗ１の何れかであることを特徴とする請求項１〜２の何れか一項に記載の物質同定装置。
【請求項４】
前記規格化手段により規格化された前記被検体画像に含まれる統計的ノイズを軽減させるための処理を行うノイズ軽減手段を備える、ことを特徴とする請求項１〜３の何れか一項に記載の物質同定装置。
【請求項５】
前記散布図作成手段は、前記吸収情報を与えた１つの軸と、前記Ｘ線のビームハードニング情報を与えたもう１つの軸からなる２次元の散布図を作成する手段であり、
前記散布図作成手段は、前記２つの軸が示す前記吸収情報及び前記ビームハードニング情報それぞれを示す値の自然対数を演算する手段を含み、前記吸収情報及び前記ビームハードニング情報それぞれの自然対数値で前記散布図を作成するようにしたことを特徴とする請求項１〜４の何れか一項に記載の物質同定装置。
【請求項６】
前記被検体画像作成手段が作成した前記被検体画像を表示する被検体画像表示手段と、
この被検体画像表示手段により表示された前記被検体画像に第１の関心領域を設定する第１の関心領域設定手段と、
前記被検体画像に前記第１の関心領域を重畳して表示する第１の関心領域表示手段と、
前記散布図作成手段は、前記第１の関心領域内のみに対応する前記散布図を作成するようにしたことを特徴とする請求項１〜５の何れか一項に記載の物質同定装置。
【請求項７】
前記散布図作成手段は、
前記散布図を表示する散布図表示手段と、
この散布図表示手段により表示された前記散布図上に第２の関心領域を設定する第２の関心領域設定手段と、
前記被検体画像上に前記第２の関心領域のみに相当する画素を演算する画素演算手段と、
この画素演算手段により演算された画素から成る部分を変調して前記被検体画像に重畳表示する重畳表示手段と、を備えた請求項１〜６の何れか一項に記載の物質同定装置。
【請求項８】
前記散布図作成手段は、
前記散布図表示手段により表示された前記散布図に、当該散布図が描出する画像の階調を決める直線又は曲線を基準線として設定する基準線設定手段と、
この基準線設定手段により設定された基準線を、前記散布図上で、当該基準線に対して平行にシフトして階調変化を与えた画像を表示する階調変化画像表示手段と、を備え、
前記同定情報取得手段は、前記階調変化画像表示手段により表示された前記画像に基づいて前記同定情報を取得するように構成したことをと特徴とする請求項７に記載の物質同定装置。
【請求項９】
前記検出器は、前記２次元の配列の複数の画素を形成した検出器であり、
前記撮像システムは、この検出器を用いてトモシンセシス法で前記被検体の断層撮影を行うＸ線撮像装置であり、
前記物質同定装置は前記Ｘ線撮像装置に機能的に一体に組み込まれていることを特徴とする請求項１〜８の何れか一項に記載の物質同定装置。
【請求項１０】
１次元又は２次元の配列の複数の画素を形成し且つ当該画素のそれぞれにＸ線源から入射したＸ線を光子と見做して検出し当該光子のエネルギに応じた電気量のパルス信号を出力する複数の検出素子を有する光子計数型の検出器と、
前記複数の検出素子の出力側に配列され且つ当該複数の検出素子それぞれからの前記パルス信号の計数値を２つ以上のエネルギ領域の夫々について収集する複数のデータ収集回路と、
前記検出器及び前記複数のデータ収集回路を介して、被検体を撮像して前記パルス信号の前記計数値に基づいて前記Ｘ線の吸収情報からなる被検体画像を作成する被検体画像作成手段と、
を備えた撮像システムにより作成された前記被検体画像から前記被検体の撮像された部分に在る物質の種類を同定する物質同定方法において、
前記Ｘ線により厚さ及び密度の均一な物質を撮像して前記パルス信号の前記計数値に基づいた参照画像を作成し、
前記参照画像の画素値で前記被検体画像の画素値を画素毎に除算して当該被検体画像の画素値を規格化し、
この規格化された画素値から、前記吸収情報を与えた軸と、前記Ｘ線のビームハードニング情報を与えた１つ以上の軸からなる散布図を作成し、
この作成された前記散布図から、前記被検体の撮像された部分に在る物質の種類を同定するための同定情報を取得する、ことを特徴とする物質同定方法。
【手続補正書】
【提出日】平成27年1月26日(2015.1.26)
【手続補正１】
【補正対象書類名】特許請求の範囲
【補正対象項目名】請求項１
【補正方法】変更
【補正の内容】
【請求項１】
遊技者に関連する遊技者情報を発行し、端末装置に対して送信する遊技者情報発行手段を含む管理装置と、
出力要求がされた場合に前記管理装置から受信した前記遊技者情報を出力する遊技者情報出力手段を含む前記端末装置と、
所定の遊技を行うことが可能であって、前記遊技者情報を入力可能な遊技者情報入力手段と、前記遊技者情報入力手段にて入力された前記遊技者情報に基づく所定の処理を実行する所定処理実行手段と、を含む遊技機と、
を備える遊技システムであって、
前記遊技者情報発行手段は、前記管理装置と該端末装置とが通信可能な所定のタイミングで前記遊技者情報を発行し、該発行した遊技者情報を当該端末装置に対して送信し、
前記端末装置は、前記管理装置から前記所定のタイミングで前記遊技者情報を受信した場合に、該受信した前記遊技者情報を保持する遊技者情報保持手段を含み、
前記遊技者情報出力手段は、少なくとも前記管理装置との通信が不可能な状態で前記出力要求がされた場合に前記遊技者情報保持手段により保持されている前記遊技者情報を読み出して出力する
ことを特徴とする遊技システム。
【手続補正２】
【補正対象書類名】明細書
【補正対象項目名】０００６
【補正方法】変更
【補正の内容】
【０００６】
上記課題を解決するために、本発明の請求項１に記載の遊技システムは、
遊技者に関連する遊技者情報（パスワード）を発行し、端末装置（携帯端末１３００）に対して送信する遊技者情報発行手段を含む管理装置（管理サーバ１２００）と、
出力要求がされた場合（パスワードの表示が選択された場合）に前記管理装置（管理サーバ１２００）から受信した前記遊技者情報（パスワード）を出力する遊技者情報出力手段（遊技用アプリケーション）を含む前記端末装置（携帯端末１３００）と、
所定の遊技を行うことが可能であって、前記遊技者情報（パスワード）を入力可能な遊技者情報入力手段（演出用スイッチ５６、ストップスイッチ８Ｌ、８Ｃ、８Ｒ）と、前記遊技者情報入力手段にて入力された前記遊技者情報（パスワード）に基づく所定の処理（特定演出）を実行する所定処理実行手段（サブ制御部９１）と、を含む遊技機（スロットマシン１）と、
を備える遊技システムであって、
前記遊技者情報発行手段は、前記管理装置（管理サーバ１２００）と該端末装置（携帯端末１３００）とが通信可能な所定のタイミング（更新要求に伴う遊技履歴等の更新時、演出設定の変更時等、携帯端末からのアクセスによりパスワードが更新されたタイミング）で前記遊技者情報（パスワード）を発行し、該発行した遊技者情報（パスワード）を当該端末装置（携帯端末１３００）に対して送信し、
前記端末装置（携帯端末１３００）は、前記管理装置（管理サーバ１２００）から前記所定のタイミング（携帯端末からのアクセスによりパスワードが更新されたタイミング）で前記遊技者情報（パスワード）を受信した場合に、該受信した前記遊技者情報（パスワード）を保持する遊技者情報保持手段（記憶手段１３０３）を含み、
前記遊技者情報出力手段（遊技用アプリケーション）は、少なくとも前記管理装置（管理サーバ１２００）との通信が不可能な状態で前記出力要求がされた場合（パスワードの表示が選択された場合）に、前記遊技者情報保持手段（記憶手段１３０３）により保持されている前記遊技者情報（パスワード）を読み出して出力する
ことを特徴としている。
この特徴によれば、遊技者が遊技を開始するにあたって端末装置に遊技者情報を出力させる際に、端末装置と管理装置とが通信不可能な状態であっても、通信可能な状態において予め管理装置から受信し、端末装置に保持されている遊技者情報が出力されるので、このような場合に、端末装置と管理装置とが通信可能な場所まで移動したり、端末装置と管理装置とが通信可能となるまで待ったりすることなく、端末装置から出力された遊技者情報を入力して遊技を開始させることができる。このため、端末装置と管理装置との通信が不可能な状態であるか否かを遊技者に意識させることなく管理装置と連携した遊技を行うことができる。
尚、遊技者に関連する遊技者情報とは、遊技者を特定可能な情報であっても良いし、遊技者が過去に遊技を行った結果である遊技履歴等の情報、遊技者に個人に対して付与された価値を特定可能な情報などであっても良い。
また、遊技者情報出力手段は、遊技者情報を文字データとして表示することでを出力する構成でも良いし、バーコードや２次元コードなどのようにコード化したデータを表示することで遊技者情報を出力する構成でも良いし、有線接続、無線接続、赤外線接続などにより外部から読み取り可能に出力することで遊技者情報を出力する構成でも良い。
また、前記遊技者情報入力手段にて入力された前記遊技者情報に基づく所定の処理とは、例えば、遊技者情報に基づく特定の演出を実行する処理や、遊技者情報に基づいて演出や特典に関するパラメータを設定する処理、遊技の開始を特定する処理などが該当する。
また、端末装置は、携帯端末であっても良いし、据置型の端末であっても良い。また、個々の遊技者が所有する端末装置でも良いし、複数の遊技者が共有する端末装置でも良い。
また、前記管理装置と該端末装置とが通信可能な所定のタイミングとは、例えば、所定時刻、所定期間毎などに到来し、かつ端末装置と管理装置とが通信可能なタイミング、端末装置から管理装置にアクセスがあったタイミングなどが該当する。
また、前記遊技者情報出力手段は、少なくとも前記管理装置との通信が不可能な状態で前記出力要求がされた場合に前記遊技者情報保持手段により保持されている前記遊技者情報を読み出して出力する構成であれば良く、前記管理装置との通信が可能な状態で前記出力要求がされた場合には、前記遊技者情報保持手段により保持されている前記遊技者情報を読み出して出力する構成でも良いし、前記出力要求がされたタイミングで前記管理装置にて発行された前記遊技者情報を取得して出力する構成でも良い。
また、前記管理装置との通信が不可能な状態とは、端末装置側が通信圏外である場合、混雑、故障等により管理装置からの応答がない状態などが該当する。
【手続補正書】
【提出日】平成26年12月5日(2014.12.5)
【手続補正１】
【補正対象書類名】明細書
【補正対象項目名】発明の名称
【補正方法】変更
【補正の内容】
【発明の名称】原稿読取装置
【手続補正２】
【補正対象書類名】明細書
【補正対象項目名】０００１
【補正方法】変更
【補正の内容】
【０００１】
本発明は、原稿を読み取る原稿読取装置に関する。
【手続補正３】
【補正対象書類名】明細書
【補正対象項目名】０００６
【補正方法】変更
【補正の内容】
【０００６】
本発明は、読取手段の初期調整の実行中にユーザが原稿をセットした場合でも、原稿のサイズを判定することができるようにすることを目的とする。
【手続補正４】
【補正対象書類名】明細書
【補正対象項目名】０００７
【補正方法】変更
【補正の内容】
【０００７】
本発明に係る原稿読取装置は、原稿が載置される原稿台と、前記原稿台に載置された原稿を前記原稿台に押し付ける圧板と、前記圧板の開閉状態を検知する検知手段と、前記原稿台に載置された原稿を読み取る読取手段と、前記読取手段からの出力値に基づき前記読取手段の初期調整を行う調整手段と、前記読取手段からの出力値に基づき前記原稿台に載置された原稿のサイズを判定する原稿サイズ判定処理を実行するサイズ判定手段と、前記読取手段へ電力供給が開始された場合は、前記読取手段の読取位置が基準板の位置に対応する第１の位置である状態において、前記調整手段に前記初期調整を実行させ、前記検知手段の検知結果が所定条件を満たした場合は、前記読取位置が前記原稿台に載置される原稿の位置に対応する第２の位置である状態において、前記サイズ判定手段に前記原稿サイズ判定処理を実行させる制御手段と、を有し、前記制御手段は、前記初期調整の実行中に、前記検知手段の検知結果が所定条件を満たした場合は、前記初期調整を中断し、前記読取位置を前記第１の位置から前記第２の位置に移動させ、前記サイズ判定手段に前記判定処理を実行させ、前記判定処理が終了後に、前記読取位置を前記第１の位置に移動させ、前記初期調整を再開させることを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明によれば、読取手段の初期調整の実行中に、ユーザが原稿をセットしたことにより、原稿のサイズを判定できなくなることを低減することができ、ユーザが原稿のサイズを入力しなければならない状態を低減させることができ、原稿読取装置のユーザの使い勝手を向上させることができる。
【手続補正７】
【補正対象書類名】特許請求の範囲
【補正対象項目名】全文
【補正方法】変更
【補正の内容】
【特許請求の範囲】
【請求項１】
原稿が載置される原稿台と、
前記原稿台に載置された原稿を前記原稿台に押し付ける圧板と、
前記圧板の開閉状態を検知する検知手段と、
前記原稿台に載置された原稿を読み取る読取手段と、
前記読取手段からの出力値に基づき前記読取手段の初期調整を行う調整手段と、
前記読取手段からの出力値に基づき前記原稿台に載置された原稿のサイズを判定する原稿サイズ判定処理を実行するサイズ判定手段と、
前記読取手段へ電力供給が開始された場合は、前記読取手段の読取位置が基準板の位置に対応する第１の位置である状態において、前記調整手段に前記初期調整を実行させ、前記検知手段の検知結果が所定条件を満たした場合は、前記読取位置が前記原稿台に載置される原稿の位置に対応する第２の位置である状態において、前記サイズ判定手段に前記原稿サイズ判定処理を実行させる制御手段と、を有し、
前記制御手段は、前記初期調整の実行中に、前記検知手段の検知結果が所定条件を満たした場合は、前記初期調整を中断し、前記読取位置を前記第１の位置から前記第２の位置に移動させ、前記サイズ判定手段に前記判定処理を実行させ、前記判定処理が終了後に、前記読取位置を前記第１の位置に移動させ、前記初期調整を再開させることを特徴とする原稿読取装置。
【請求項２】
前記原稿読取装置の電源オン時およびスリープ復帰時に前記読取手段へ電力供給が開始されることを特徴とする請求項１記載の原稿読取装置。
【請求項３】
前記初期調整には、前記読取手段のゲインの調整およびオフセットの調整が含まれることを特徴とする請求項１又は２に記載の原稿読取装置。
【請求項４】
前記制御手段は、
前記検知手段の検知結果が開状態から閉状態に変化した場合は、前記サイズ判定手段に前記原稿サイズ判定処理を実行させ、
前記初期調整の実行中に前記検知手段の検知結果が閉状態から開状態に変化した場合は、前記初期調整を中断し、前記読取位置を前記第１の位置から前記第２の位置に移動させ、前記サイズ判定手段に前記判定処理を実行させ、前記判定処理が終了後に、前記読取位置を前記第１の位置に移動させ、前記初期調整を再開させることを特徴とする請求項１乃至３のいずれか１項に記載の原稿読取装置。
【請求項５】
前記制御手段は、
前記検知手段の検知結果が開状態から閉状態に変化した場合は、前記サイズ判定手段に前記原稿サイズ判定処理を実行させ、
前記初期調整の実行中に前記検知手段の検知結果が開状態から閉状態に変化した場合は、前記初期調整を中断し、前記読取位置を前記第１の位置から前記第２の位置に移動させ、前記サイズ判定手段に前記判定処理を実行させ、前記判定処理が終了後に、前記読取位置を前記第１の位置に移動させ、前記初期調整を再開させることを特徴とする請求項１乃至３のいずれか１項に記載の原稿読取装置。
【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
開口画素領域と遮光画素領域を含む画素領域と、
前記画素領域から画像信号を行毎に読み出す読み出し手段と、
前記画素領域の読み出し行を選択する選択手段と、
前記遮光画素領域から読み出される基準信号に基づいて前記開口画素領域から読み出される画像信号を行毎に補正する補正手段と、
前記選択手段により前記画素領域の読み出し行が不連続に選択された場合に、前記開口画素領域の不連続な読み出し行から読み出される画像信号に生じる信号レベルの段差量に基づいて、前記開口画素領域から読み出される画像信号を前記補正手段が補正するように制御する制御手段と、
を有することを特徴とする撮像装置。
【請求項２】
前記制御手段は、前記基準信号に基づいて前記信号レベルの段差量を算出することを特徴とする請求項１に記載の撮像装置。
【請求項３】
前記制御手段は、複数フレームの信号を用いて前記段差量を算出することを特徴とする請求項２に記載の撮像装置。
【請求項４】
スキップ位置ごとに、前記段差量をあらかじめ記憶した記憶手段を有することを特徴とする請求項１乃至３のいずれか１項に記載の撮像装置。
【請求項５】
撮影条件、スキップ位置ごとに、前記段差量をあらかじめ記憶した記憶手段を有することを特徴とする請求項１乃至３のいずれか１項に記載の撮像装置。
【請求項６】
前記段差量を含んだ行ごとの補正値をあらかじめ記憶した記憶手段を有することを特徴とする請求項１乃至３のいずれか１項に記載の撮像装置。
【請求項７】
撮影感度を設定する設定手段を有し、前記制御手段は前記撮影感度が所定の撮影感度よりも高い場合に前記段差量に基づいて前記開口画素領域から読み出される前記画像信号を補正することを特徴とする請求項１乃至６のいずれか１項に記載の撮像装置。
【手続補正２】
【補正対象書類名】明細書
【補正対象項目名】００１１
【補正方法】変更
【補正の内容】
【００１１】
本発明は上記目的を達成するためになされたものであり、本発明の撮像装置は、開口画素領域と遮光画素領域を含む画素領域と、前記画素領域から画像信号を行毎に読み出す読み出し手段と、前記画素領域の読み出し行を選択する選択手段と、前記遮光画素領域から読み出される基準信号に基づいて前記開口画素領域から読み出される画像信号を行毎に補正する補正手段と、前記選択手段により前記画素領域の読み出し行が不連続に選択された場合に、前記開口画素領域の不連続な読み出し行から読み出される画像信号に生じる信号レベルの段差量に基づいて、前記開口画素領域から読み出される画像信号を前記補正手段が補正するように制御する制御手段と、を有することを特徴とする。